(57)【要約】【課題】  視聴用チューナとサーチ専用チューナとの複数のチューナを備え、受信状態が良好なチャンネルを効果的にサーチすることができるデジタル放送受信装置を提供する。【解決手段】  本発明の放送受信装置は、デジタル放送信号を受信する第１チューナ及び第２チューナと、第２チューナに接続されるアンテナを切り替える切替部と、視聴側チャンネルを第１チューナにより選局させるとともに、デジタル放送の受信帯域内の物理チャンネルを第２チューナにより巡回選局させる制御部とを備える。制御部は、視聴側チャンネルと放送局識別情報が同じである、または視聴側チャンネルと系列が同じである中継／系列局チャンネルを判別し、切替部による切り替えを行いつつ巡回選局を行うことにより中継／系列局チャンネルの受信感度をアンテナごとに検出し、検出したアンテナごとの受信感度に基づいて中継／系列局チャンネルごとの優先度を決定する。【選択図】図５
2013051506.tif 000002
【特許請求の範囲】
【請求項１】
デジタル放送信号を受信する第１チューナ及び第２チューナと、
前記第２チューナに接続されるアンテナを切り替える切替部と、
選局指示されたチャンネルである視聴側チャンネルを前記第１チューナにより選局させ、デジタル放送の受信帯域内の物理チャンネルを前記第２チューナにより巡回選局させる制御部と、
を備え、
前記制御部は、前記視聴側チャンネルと放送局識別情報が同じである、または前記視聴側チャンネルと系列が同じである中継／系列局チャンネルを判別し、前記切替部による切り替えを行いつつ前記巡回選局を行うことにより前記中継／系列局チャンネルの受信感度を前記アンテナごとに検出し、検出した前記アンテナごとの受信感度に基づいて、前記第１チューナで選局対象とする前記中継／系列局チャンネルの優先度を決定すること
を特徴とするデジタル放送受信装置。
【請求項２】
前記制御部は、前記優先度を示す候補順位リストを生成し、前記第１チューナの受信状態を監視し、該監視している受信状態が受信限界に達した場合に、前記候補順位リストが示す前記優先度に基づいて、前記第１チューナで選局する前記中継／系列局チャンネルを決定すること
を特徴とする請求項１に記載のデジタル放送受信装置。
【請求項３】
前記制御部は、
前記巡回選局の初回巡回時において、前記第２チューナに接続される前記アンテナを固定して複数の前記中継／系列局チャンネルの受信感度を検出する第１検出動作と、前記第２チューナに接続される前記アンテナを切り替える切替動作とを、前記第２チューナに接続可能な前記アンテナの数だけ繰り返し行い、
前記巡回選局の二回目以降の巡回時において、前記中継／系列局チャンネルを固定して全ての前記アンテナによる受信感度を検出する第２検出動作と、固定する前記中継／系列局チャンネルの変更とを繰り返し行い、
前記候補順位リストを更新すること
を特徴とする請求項２に記載のデジタル放送受信装置。
【請求項４】
前記制御部は、前記巡回選局において、複数の前記アンテナで検出された受信感度の最大値を前記中継／系列局チャンネルごとに検出し、該最大値に基づいて前記優先度を決定すること、
を特徴とする請求項３に記載のデジタル放送受信装置。
【請求項５】
前記制御部は、前記アンテナにより受信される放送波の階層が複数ある場合に、前記第１チューナの受信状態が受信限界に達したか否かの判定を前記階層ごとに行うこと
を特徴とする請求項４に記載のデジタル放送受信装置。
【請求項６】
前記制御部は、前記第１チューナで選局されている前記視聴側チャンネルの受信状態と、前記第２チューナで選局されている前記中継／系列局チャンネルの受信状態とを比較する場合にＣ／Ｎ（Carrier to Noise ratio）を用いること
を特徴とする請求項５に記載のデジタル放送受信装置。
【発明の詳細な説明】
【技術分野】
【０００１】
本発明は、放送波を受信するデジタル放送受信装置に関するものであり、特に複数のチューナを備えた移動体用のデジタル放送受信装置に関する。
【背景技術】
【０００２】
近年、デジタル放送の一つとして、地上デジタルテレビ放送が実施されている。日本においては、地上アナログテレビ放送は一部地域を除いて２０１１年に放送終了され、地上デジタルテレビ放送への移行が行われた。これに伴い、カーナビや携帯電話等に搭載される移動体用のデジタル放送受信装置も、広く開発が行われている。
【０００３】
地上デジタルテレビ放送では、同じ放送局でも、中継局ごとに異なる周波数で放送されている場合がある。この場合、受信装置が現在の放送エリアから他の放送エリアに移動した際、或いは放送エリア内であっても、地形や構造物等の影響で電波の影に移動した際に、受信状態が悪化し、それまで視聴していた番組が視聴できなくなってしまう。
【０００４】
このため地上デジタルテレビ放送では、広地域で同一の放送を実現するため、親局から送出された電波を中継局が受け、中継局から再送信する仕組みを用いている。特に移動体用のデジタル放送受信装置では、放送局ごとの中継局の物理チャンネルを示すテーブルを保持し、任意の放送局がユーザ操作により選局された場合に、テーブルに含まれる物理チャンネルをサーチする機能を備えるものがある。
【０００５】
また、受信状態が劣化した場合に、デジタル放送受信装置が自動で中継局や系列局などの物理チャンネルをサーチし、受信状態がよい物理チャンネルに切り替える機能を備えるものもある。
【０００６】
上記に関連して特許文献１においては、視聴中の番組の受信状態が悪化すると、自動的に中継局サーチを開始し、中継局が見つかった場合は、その中継局を受信し、中継局が見つからなかった場合は、系列局サーチを開始し、同一系列の放送局が見つかった場合は、その放送局を受信するデジタル放送受信装置が開示されている。
【０００７】
また、中継局や系列局の受信状態を常時監視するためのサーチ専用チューナを別途搭載し、視聴番組の受信状態が悪化し途切れる前に、サーチ専用チューナから得られた情報を基に、最も受信状態が安定していると推測される中継局もしくは系列局に自動的に切り替える受信機も提案されている。
【先行技術文献】
【特許文献】
【０００８】
【特許文献１】特開２００９−１８８８８０号公報
【発明の概要】
【発明が解決しようとする課題】
【０００９】
上記のようにサーチ専用チューナを搭載した受信機においては、視聴用チューナを複数備え、アンテナ入力もチューナの数だけ複数搭載することにより、ダイバーシティー方式を採用したものが実用化されている。
【００１０】
これは、移動体用の受信機ではマルチパスやフェージングにより受信環境が常に変化し安定しないため、複数のアンテナ入力を用いることにより、受信状態を安定させるための技術である。現在は４つのアンテナを使用する４ダイバー方式が主流である。
【００１１】
しかしながら、サーチ専用チューナはあるアンテナ入力一つに固定されている。このため、サーチ専用チューナによる受信状態が安定しにくいという問題点があった。例えば、サーチ専用チューナの受信状態が悪いと判定されたチャンネルであっても、偶然サーチ専用チューナが接続されているアンテナ入力のみこのチャンネルの受信状態が悪く、他のアンテナ入力では良好の場合がある。この場合、視聴用チューナの受信状態が悪化した時点で、実際にはこのチャンネルに切り替えた方よいにもかかわらず、切り替えが発生しないという問題があった。
【００１２】
本発明は、上記の問題を解決するためになされたものであって、その目的は、視聴用チューナとサーチ専用チューナとの複数のチューナを備えたデジタル放送受信装置であって、受信状態が良好なチャンネルを効果的にサーチすることができ、より安定した受信を可能とするデジタル放送受信装置を提供することを目的とする。
【課題を解決するための手段】
【００１３】
上記目的を達成するために本発明のデジタル放送受信装置は、デジタル放送信号を受信する第１チューナ及び第２チューナと、前記第２チューナに接続されるアンテナを切り替える切替部と、選局指示されたチャンネルである視聴側チャンネルを前記第１チューナにより選局させ、デジタル放送の受信帯域内の物理チャンネルを前記第２チューナにより巡回選局させる制御部と、を備え、前記制御部は、前記視聴側チャンネルと放送局識別情報が同じである、または前記視聴側チャンネルと系列が同じである中継／系列局チャンネルを判別し、前記切替部による切り替えを行いつつ前記巡回選局を行うことにより前記中継／系列局チャンネルの受信感度を前記アンテナごとに検出し、検出した前記アンテナごとの受信感度に基づいて、前記第１チューナで選局対象とする前記中継／系列局チャンネルの優先度を決定することを特徴とする。
【００１４】
この構成によると、本発明のデジタル放送受信装置は、デジタル放送信号を受信する第１チューナ及び第２チューナと、第２チューナに接続されるアンテナを切り替える切替部と、視聴側チャンネルを第１チューナにより選局させるとともに、デジタル放送の受信帯域内の物理チャンネルを第２チューナにより巡回選局させる制御部とを備える。制御部は、視聴側チャンネルと放送局識別情報が同じである、または視聴側チャンネルと系列が同じである中継／系列局チャンネルを判別し、切替部による切り替えを行いつつ巡回選局を行うことにより中継／系列局チャンネルの受信感度をアンテナごとに検出し、検出したアンテナごとの受信感度に基づいて中継／系列局チャンネルごとの優先度を決定する。
【００１５】
また上記目的を達成するために前記制御部は、前記優先度を示す候補順位リストを生成し、前記第１チューナの受信状態を監視し、該監視している受信状態が受信限界に達した場合に、前記候補順位リストが示す前記優先度に基づいて、前記第１チューナで選局する前記中継／系列局チャンネルを決定することを特徴とする。
【００１６】
この構成によると、制御部は、中継／系列局チャンネルごとの優先度を示す候補順位リストを生成する。また、第１チューナの受信状態を監視し、受信状態が受信限界に達した場合に、候補順位リストが示す優先度に基づいて、第１チューナで選局する前記中継／系列局チャンネルを決定する。
【００１７】
また上記目的を達成するために前記制御部は、前記巡回選局の初回巡回時において、前記第２チューナに接続される前記アンテナを固定して複数の前記中継／系列局チャンネルの受信感度を検出する第１検出動作と、前記第２チューナに接続される前記アンテナを切り替える切替動作とを、前記第２チューナに接続可能な前記アンテナの数だけ繰り返し行い、前記巡回選局の二回目以降の巡回時において、前記中継／系列局チャンネルを固定して全ての前記アンテナによる受信感度を検出する第２検出動作と、固定する前記中継／系列局チャンネルの変更とを繰り返し行い、前記候補順位リストを更新することを特徴とする。
【００１８】
この構成によると、制御部は、巡回選局の初回巡回時において、第２チューナに接続されるアンテナを固定して複数の中継／系列局チャンネルの受信感度を検出する第１検出動作と、第２チューナに接続されるアンテナを切り替える切替動作とを、第２チューナに接続可能なアンテナの数だけ繰り返し行う。また制御部は、巡回選局の二回目以降の巡回時において、中継／系列局チャンネルを固定して全てのアンテナによる受信感度を検出する第２検出動作と、固定する中継／系列局チャンネルの変更とを繰り返し行う。そしてこの二種類の巡回選局の結果に基づいて、候補順位リストを更新する。
【００１９】
また上記目的を達成するために前記制御部は、前記巡回選局において、複数の前記アンテナで検出された受信感度の最大値を前記中継／系列局チャンネルごとに検出し、該最大値に基づいて前記優先度を決定することを特徴とする。
【００２０】
この構成によると、制御部は、巡回選局において、複数のアンテナで検出された受信感度の最大値を中継／系列局チャンネルごとに検出し、最大値に基づいて優先度を決定する。
【００２１】
また上記目的を達成するために前記制御部は、アンテナにより受信される放送波の階層が複数ある場合に、前記第１チューナの受信状態が受信限界に達したか否かの判定を前記階層ごとに行うことを特徴とする。
【００２２】
この構成によると、制御部は、アンテナにより受信される放送波の階層が複数ある場合に、第１チューナの受信状態が受信限界に達したか否かの判定を階層ごとに行う。
【００２３】
また上記目的を達成するために前記制御部は、前記第１チューナで選局されている前記視聴側チャンネルの受信状態と、前記第２チューナで選局されている前記中継／系列局チャンネルの受信状態とを比較する場合にＣ／Ｎ（Carrier to Noise ratio）を用いることを特徴とする。
【００２４】
この構成によると、制御部は、第１チューナで選局されている視聴側チャンネルの受信状態と、第２チューナで選局されている中継／系列局チャンネルの受信状態とを比較する場合にＣ／Ｎを用いる。
【発明の効果】
【００２５】
本発明によれば、サーチ用チューナである第２チューナに接続するアンテナを切り替えつつ、巡回選局させて中継／系列局チャンネルの受信感度を検出する。このため、受信感度のよい中継／系列局チャンネルの検出漏れを低減し、安定した受信を行うことができる。
【図面の簡単な説明】
【００２６】
【図１】本発明の一実施形態に係るデジタル放送受信装置の内部構成を示すブロック図である。
【図２】視聴側の定期監視処理を示すフロー図である。
【図３】トリガー第１条件の判定処理を示すフロー図である。
【図４】トリガー第２条件の判定処理を示すフロー図である。
【図５】サーチ側の定常時処理を示すフロー図である。
【図６】視聴側の選局判定処理を示すフロー図である。
【図７】サーチ側のサーチ順序を示す模式図である。
【図８】候補順位リストを示す模式図である。
【発明を実施するための形態】
【００２７】
以下に本発明の実施形態を、図面を参照しながら説明する。なお、ここで示す実施形態は一例であり、本発明はここに示す実施形態に限定されるものではない。
〈１．内部構成について〉
図１は、本発明の一実施形態に係る車載用受信装置１００（＝デジタル放送受信装置）の内部構成を示すブロック図である。図１のブロック図に示すように、本発明の車載用受信装置１００は、外部接続される装置として複数のアンテナ１を備えている。
【００２８】
また車載用受信装置１００は少なくとも、ＤＴＶチューナ２（＝第１チューナ）と、合成復調部３と、オーディオフィルタ４と、オーディオデコーダ５と、ビデオフィルタ６と、ビデオデコーダ７と、データフィルタ８と、データデコーダ９と、Ｄ／Ａコンバータ１１と、ＬＰＦ／ドライバ１２と、映像処理部１３と、Ｄ／Ａコンバータ１４と、ＬＰＦ／ドライバ１５と、映像出力部１６と、音声出力部１７と、操作入力部１９と、ＣＰＵ２０（＝制御部）と、ＲＡＭ２１と、ＲＯＭ２２と、裏サーチ用チューナ２４（＝第２チューナ）と、アンテナ入力スイッチ２５（＝切替部）と、裏サーチ用復調部２６と、を備えている。ＤＴＶチューナ２には、車両に設けられるアンテナ１が接続される。
【００２９】
ＤＴＶチューナ２は、アンテナ１から地上デジタル放送信号を受信し、所望の物理チャンネルの選局を行う。本実施形態のＤＴＶチューナ２は、図１に示すとおり、車載用受信装置１００に四つ備えられている。合成復調部３は、複数のＤＴＶチューナ２から出力される信号を復調及びエラー訂正し、ワンセグと１２セグとそれぞれのＴＳ（トランスポートストリーム）を出力する。
【００３０】
裏サーチ用ＤＴＶチューナ２４には、ＣＰＵ２０の指示により、アンテナ入力スイッチ２５で選択されたアンテナ１から地上デジタル放送信号を受信し、所望の物理チャンネル選局を行う。裏サーチ用復調部２６は裏サーチＤＴＶチューナ２４から出力される信号を復調及びエラー訂正し、ワンセグのＴＳを出力する。
【００３１】
なお、ＤＴＶチューナ２は、ユーザが視聴に用いるメインチューナである。また裏サーチ用ＤＴＶチューナ２４は、受信感度が良好な物理チャンネルをバックグラウンドでサーチするためのサブチューナである。なお以下では、ＤＴＶチューナ２及び合成復調部３をまとめて視聴側、裏サーチ用ＤＴＶチューナ２４及び裏サーチ用復調部２６をまとめてサーチ側と呼称する。
【００３２】
上記の構成によれば、ユーザにより指定された番組を視聴側で受信するとともに、受信中の番組と同番組を放送しており且つ受信感度のよい物理チャンネルを、サーチ側で検出（＝裏サーチ）する。そして視聴側の受信感度が低下した場合に、予め裏サーチしてある受信感度のよい物理チャンネルに切り替える。
【００３３】
オーディオフィルタ４は、ＴＳからオーディオデータのみを抽出し、オーディオデコーダ５は、抽出されたオーディオデータを復号しデジタル音声信号を出力する。デジタル音声信号は、ワンセグと１２セグとに切り替えられてＤ／Ａコンバータ１１とデコーダ／エンコーダ１０に出力される。Ｄ／Ａコンバータ１１は、オーディオデコーダ５から入力されるデジタル音声信号をアナログベースバンド信号に変換し、ＬＰＦ／ドライバ１２を介して音声出力部１７から音声が出力される。
【００３４】
ビデオフィルタ６は、ＴＳからビデオデータのみを抽出し、ビデオデコーダ７は、抽出されたビデオデータを復号しデジタル映像信号を出力する。デジタル映像信号は、ワンセグと１２セグとに切り替えられて映像処理部１３に出力される。映像処理部１３は、ビデオデコーダ７から入力されるデジタル映像信号の映像サイズを変更するスケーラ機能や、文字等を重畳するＯＳＤ（On Screen Display）機能を有する。Ｄ／Ａコンバータ１４は、映像処理部１３から入力される映像信号をアナログ映像信号に変換し、ＬＰＦ／ドライバ１５を介して映像出力部１６から映像が出力される。
【００３５】
データフィルタ８は、伝送パラメータ、ＮＩＴ（Network Information Table）、番組情報、データ放送等のデータをＴＳから抽出し、データデコーダ９は、抽出されたデータを復号する。
【００３６】
操作入力部１９は、不図示のリモコン、リモコン受光部を含み、ユーザの操作による操作信号を出力する。ＣＰＵ２０は、各種演算、処理、制御を行う演算処理装置である。ＲＡＭ２１は、ＣＰＵ２０のワークメモリ等に用いられる。ＲＯＭ２２は、ＣＰＵ２０が実行する制御プログラムを格納する。
【００３７】
ＣＰＵ２０は、所定の放送局からの放送波を受信するためのチャンネルサーチ（以下、「サーチ」という）を行うよう、サーチ側３を制御する。ＣＰＵ２０は、後述する候補順位リストを用いて、ユーザに選局指示された放送波の物理チャンネルを判別し、受信を試行する。受信に成功した場合、この物理チャンネルを用いて放送波の受信を開始する。
【００３８】
受信に失敗した場合、ＣＰＵ２０は候補順位リストに含まれる未チェックの物理チャンネルを抽出し、受信を試行する。この繰り返しを行い、受信できる物理チャンネルが検知されなかった場合に、サーチに失敗したとみなす。なおサーチは、ユーザが選局操作を行った場合や、受信中の放送波の受信感度が低下したことが検知された場合等に実行される。
【００３９】
またＣＰＵ２０は、車載用受信装置１００の電源投入と共に、ＵＨＦ帯の全５０ｃｈチャンネルの裏サーチを開始するよう、サーチ側を制御する。そして受信可能な物理チャンネルを解析すると共に、放送波に含まれるＮＩＴやＰＡＴ（Program Association Table）、ＰＭＴ（Program Map Table）等の解析により、各放送局の中継局の物理チャンネルを判別する。裏サーチの結果は、後述する候補順位リスト（図８）に反映される。
〈３．視聴側の定期監視処理について〉
ここで、本発明の一実施形態に係る車載用受信装置１００が実施する、視聴側の定期監視処理について、図２のフロー図を用いながら説明する。図２は、視聴側による定期監視、選局、トリガー監視、及びフェーズ２（受信状態が悪化した場合のフェーズ）への移行を行うための処理フローである。なお本処理フローの各処理ステップは、特に説明のない限り、ＣＰＵ２０が処理主体となって実施するものである。
【００４０】
視聴側は、図２のとおり、定期的に視聴側の受信状態（Ｃ／Ｎ、ＢＥＲ）の監視を行う。また、トリガー第１条件、トリガー第２条件の発生を監視する。受信状態が悪化すると、トリガー第１条件またはトリガー第２条件がかかり、フェーズ２へ移行する。フェーズ２では、視聴側の物理チャンネルを、次選局候補チャンネルに選局する。
【００４１】
まずステップＳ１１０で、視聴側の物理チャンネルのＣ／ＮとＢＥＲとを取得する。
【００４２】
次にステップＳ１２０で、予め定められている係数テーブルから、Ｓ１１０で取得したＢＥＲ値に応じた係数を参照し、積算していく。積算値が予め定められた上限値を越えた場合は上限値で頭打ちさせ、積算値が負の値になれば、０で底打ちさせるようにして積算する。
【００４３】
ステップＳ１３０は、説明のため、後述するサーチ側定常時フロー（図５）を簡略化して記載したものである。実際には、視聴側の定常時フローに含める必要はなく、サーチ側の巡回サーチにより次に選局すべき候補チャンネルのリストを更新するのは、サーチ側のフローの中で行えばよい。
【００４４】
次にステップＳ１４０で、フルセグを受信中であるか否かを判定する。フルセグを受信中ではない場合、後述するステップＳ１６０へ移行する。フルセグを受信中である場合、次にステップＳ１５０で、トリガー第１条件が発生したか否かを判定する。なお、判定処理の詳細については後述する。
【００４５】
トリガー第１条件が発生した場合、ステップＳ１５１へ移行する。なおステップＳ１５１及びステップＳ１５２は、フェーズ２に該当する。ステップＳ１５１では、後述する次チャンネル選局判定モードに進み、ステップＳ１５２では、次チャンネルに選局するか否かを判定する。
【００４６】
具体的には、次選局候補チャンネルがＢ階層（＝フルセグ）受信可能の場合か、視聴中のチャンネルが更に悪化した場合に、次選局候補チャンネルに選局すると判定され、ステップＳ１８０へ移行する。ステップＳ１８０では、視聴側を次選局候補チャンネルに選局し、定期監視ループに戻る。
【００４７】
逆に、一旦悪くなった視聴側の受信状態が復活したか、フェーズ１でサーチ側の受信状態が悪くなった場合には、次選局候補チャンネルには移行しないと判定し、ステップＳ１６０へ移行する。
【００４８】
ステップＳ１６０では、強階層であるＡ階層（＝ワンセグ）を視聴中か否かを判定し、Ａ階層視聴中であればステップＳ１６０からステップＳ１７０への処理を実行し、Ａ階層視聴中でなければステップＳ１１０へ移行する。
【００４９】
ステップＳ１７０では、トリガー第２条件が発生したか否かを判定する。なお、判定処理の詳細については後述する。
【００５０】
トリガー第２条件が発生した場合、ステップＳ１７１へ移行する。なおステップＳ１７１及びステップＳ１７２は、フェーズ２に該当する。ステップＳ１７１では、次チャンネル選局判定モードに進み、ステップＳ１７２では、次チャンネルに選局するか否かを判定する。
【００５１】
具体的には、次選局候補チャンネルがＡ階層受信可能の場合か、視聴中のチャンネルが更に悪化した場合に、次選局候補チャンネルに選局すると判定され、ステップＳ１８０へ移行する。
【００５２】
逆に、一旦悪くなった視聴側の受信状態が復活したか、フェーズ１でサーチ側の受信状態が悪くなった場合には、次選局候補チャンネルには移行しないと判定し、定期監視ループに戻る。
〈４．トリガー第１条件の判定処理について〉
ここで、本発明の一実施形態に係る視聴側が実施する、トリガー第１条件の判定処理について、図３のフロー図を用いながら説明する。
【００５３】
視聴側は、図３のとおり、選局中チャンネルの総合Ｃ／Ｎの監視を行う（ステップＳ２１０）。なお総合Ｃ／Ｎとは、４ブランチで得られる放送信号を合成した合成信号のＣ／Ｎである。
【００５４】
そして総合Ｃ／Ｎが所定値（２２ｄＢ）を下回っていることが、所定回数（３回）だけ連続して検知されると（ステップＳ２２０、ステップＳ２４０、ステップ２５０）、トリガー第１条件をＯＮにする（ステップＳ２６０）。総合Ｃ／Ｎが所定値（２２ｄＢ）を下回っていない場合は、トリガー第１条件をＯＦＦにする（ステップＳ２５０）。
〈５．トリガー第２条件の判定処理について〉
総合Ｃ／Ｎを比較する所定値がトリガー第１条件と異なる（８ｄＢ）。その他は同一の処理であるため、ここでは説明を省略する。
〈６．サーチ側の定期監視処理について〉
上記で説明した視聴側の定期監視と並行して、サーチ側でも図５に示す定期監視（＝巡回選局）を行う。なお本処理フローの各処理ステップは、特に説明のない限り、ＣＰＵ２０が処理主体となって実施するものである。
【００５５】
サーチ側の定期監視は、視聴側においてフェーズ１が実施されている状態、つまりトリガー第１／第２条件がかからず、ある程度の安定した受信がなされている状態において実施される。
【００５６】
なお、視聴側の受信状態が悪化し、視聴側においてトリガー第１／第２条件がかかった場合、サーチ側の定期監視を一時中断し、その時点の候補チャンネルリストを基に、後述する次チャンネル選局判定モード（フェーズ２）へ移行する。
【００５７】
サーチ側の定期監視ではまず、視聴側のチャンネルの情報から、中継局の物理チャンネルを抽出する。また、視聴チャンネルの情報をＲＯＭ２２に保存してあるデータベースと照合するとこにより、系列局の物理チャンネルを抽出する。
【００５８】
まずステップＳ４１０で、変数ｎの初期化を行う。なおｎは、後述するステップＳ５３０において、巡回選局における初回巡回であるか、或いは二回目移行の巡回であるかを判定するのに用いられる。
【００５９】
次にステップＳ４２０で、変数Ｎに初期値１を、ステップＳ４３０で、変数Ｂｒに初期値１を設定する。なおＮは、使用する候補チャンネルの候補順位を示す変数である。またＢｒは、アンテナ１を裏サーチ用ＤＴＶチューナ２４に接続するため、アンテナ入力スイッチ２５で選択されるブランチのブランチ番号を示す変数である。
【００６０】
次にステップＳ４４０で、第１タイマ及び第２タイマのリセットを行う。さらステップＳ４５０で、Ｎ番目の候補チャンネルに選局するよう、裏サーチ用復調部２６を制御する。
【００６１】
次にステップＳ４６０で、第１タイマをスタートする。さらにステップＳ４７０で、候補チャンネルで復調同期に成功したか否かを判定する。
【００６２】
復調同期に成功していない場合、ステップＳ４７１で、第１タイマがタイムアウトしたか否かを判定する。タイムアウトしていない場合、再びステップＳ４７０へ移行する。タイムアウトした場合、ステップＳ４７２で、第１タイマをストップした後、後述するステップＳ５２０へ移行する。
【００６３】
復調同期に成功した場合、ステップＳ４８０で、第２タイマをスタートする。そしてステップＳ４９０で、ＮＩＴ取得の試行と、Ｃ／Ｎ及びＢＥＲ取得とを行う。そしてステップＳ５００で、ＮＩＴの取得に成功したか否かにより処理の分岐を行う。
【００６４】
ＮＩＴの取得に失敗した場合、ステップＳ５０１で、第２タイマがタイムアウトしたか否かを判定する。タイムアウトしていない場合、再びステップＳ４９０へ移行する。タイムアウトした場合、ステップＳ５０２で、第２タイマをストップし、Ｃ／Ｎを保存した後、後述するステップＳ５２０へ移行する。
【００６５】
ＮＩＴの取得に成功した場合、ステップＳ５１０で、ＮＩＴに含まれる情報の蓄積、ソートを行い、ステップＳ５２０へ移行する。
【００６６】
次にステップＳ５２０で、候補順位リストの更新を行う。なおこの際、前段の処理でＣ／Ｎが取得できていない場合は、Ｃ／Ｎの値として０を設定する。そしてステップＳ５３０で、ｎ＞０か否かにより、処理の分岐を行う。
【００６７】
ｎ＞０である場合、ステップＳ５４０で、Ｂｒを１だけインクリメントする。さらにステップＳ５５０で、Ｂｒ＞４ではない場合に、ステップＳ４４０へ移行し、Ｂｒ＞４である場合に、ステップＳ５６０にてＮを１だけインクリメントする。さらにステップＳ５７０で、Ｎ＞ＭＡＸ（ＭＡＸは予め定められた閾値）であればステップＳ４２０へ移行し、Ｎ＞ＭＡＸでなければステップＳ４３０へ移行する。
【００６８】
ｎ＞０ではない場合、ステップＳ５８０で、Ｎを１だけインクリメントする。さらにステップＳ５９０で、Ｎ＞ＭＡＸでなければステップＳ４４０へ移行し、Ｎ＞ＭＡＸであれば、Ｂｒを１だけインクリメントし、Ｎ＝１を設定する。さらにステップＳ６１０で、Ｂｒ＞４ではない場合に、ステップＳ４４０へ移行し、Ｂｒ＞４である場合に、ステップＳ６２０でＮを１だけインクリメントし、ステップＳ４３０へ移行する。
【００６９】
以上に説明した処理フローによれば、初回巡回時（ｎ＝０の状態）は一チャンネルをブランチ１に固定して全ての中継／系列局をサーチする（ステップＳ５３０、Ｓ５８０、Ｓ５９０、Ｓ４４０のループ。第１検出動作）。その後、ブランチ２、３、４とアンテナ入力を切り替えてＣ／Ｎを測定し（ステップＳ６００、Ｓ６１０、Ｓ４４０のループ）、候補順位リストの更新を行う。
【００７０】
全ての中継／系列局を全ブランチで測定後（ステップＳ６１０によりＢｒ＞４と判定されｎ＝１となった状態）、二回目の以降の巡回選局となる。二回目以降の巡回時は、チャンネルを固定し、先にブランチ１から４に順次切り替えて測定した後に（ステップＳ５４０、Ｓ５５０。第２検出動作）、次のチャンネルを選局し（ステップＳ５６０）、同じようにブランチ１から４で順次測定する。
【００７１】
なお図７は、上記の測定順序を模式的に表した図である。図７のＮｏ.１〜Ｎｏ.２０が、初回の巡回選局を示している。またＮｏ.２１〜Ｎｏ.８０が、二回目以降の巡回選局を示している。
【００７２】
図８（ａ）〜図８（ｃ）は、上記の巡回選局により更新される候補順位リストの推移の一例を示している。候補順位リストでは、最大Ｃ／Ｎ順に中継／系列局チャンネルを並び替え、且つ中継／系列局チャンネルごとに、ブランチをＣ／Ｎ順に並び替える。
【００７３】
図中の「ＮｅｔｗｏｒｋＩＤ」欄は、予め放送局ごとに割り当てられている識別情報を示している。「ＮｅｔｗｏｒｋＩＤ」に関連付けられているデータとして、予めリモコンのボタンに割り当てられているボタン番号と、一放送局に対する中継／系列局チャンネルと、各中継／系列局チャンネルのブランチごとのＣ／Ｎとが存在する。
【００７４】
図８の例では、Ｃ／Ｎが大きい、つまり受信感度がよいブランチほど、テーブルの左方向に配置されて優先順位が高くなっている。またＣ／Ｎが小さい、つまり受信感度が悪いブランチほど、テーブルの右方向に配置されて優先順位が低くなっている。さらに、一中継／系列局チャンネルにおいて最もＣ／Ｎの大きいブランチ（以降、「最大ブランチ」という）を、中継／系列局チャンネルごとに比較し、中継／系列局チャンネルの候補順位を決定している。
【００７５】
例えば図８（ａ）の例では、中継／系列局チャンネルである２９ｃｈの最大ブランチがブランチ１であり、そのＣ／Ｎが２２．６ｄＢである。また２２ｃｈの最大ブランチがブランチ２であり、そのＣ／Ｎが２２．０ｄＢである。また２４ｃｈの最大ブランチがブランチ２であり、そのＣ／Ｎが１３．６ｄＢである。このため、２９ｃｈ＞２２ｃｈ＞２４ｃｈという候補順位になっている。
【００７６】
ＣＰＵ２０は、サーチ側のサーチ結果に基づいて、中継／系列局チャンネルの追加／削除を行ったり、各中継／系列局チャンネルのブランチごとのＣ／Ｎの値を変更したり、最大ブランチのＣ／Ｎの大きさに基づいて中継／系列局チャンネルの候補順位を変更したりする。
【００７７】
なお、初回巡回時のみサーチ順序が異なるのは、まず始めは、いずれの中継／系列局チャンネルを受信できるかをいち早く判別するのが望ましいためである。そして受信可能な中継／系列局チャンネルが判別した後に、どのブランチの受信状態が最もよいかを判別する。このため、初回と二回目以降とで、サーチ順序が異なるようにしている。
〈７．次チャンネル選局判定処理について〉
次に、視聴側の定期監視処理においてトリガー第１条件またはトリガー第２条件がかかることにより実施される、次チャンネル選局判定処理（図２のステップＳ１５１、ステップＳ１７１に相当）について、図６のフロー図を用いながら説明する。なお本処理フローの各処理ステップは、特に説明のない限り、ＣＰＵ２０が処理主体となって実施するものである。
【００７８】
本処理では、視聴側において受信中であるチャンネルと、サーチ側のフェーズ１（図５）で確認された他の中継／系列局チャンネルとの、いずれの受信状態がよいかを判定する。
【００７９】
判定の順番としては、候補順位リストの上位チャンネル及び上位ブランチから順次行い、視聴側よりもよいチャンネルが発見された段階で終了する。もしくは、全ての候補と比較し終わった段階で終了する形態でもよい。
【００８０】
まずステップＳ７１０で、変数Ｎに初期値１を、ステップＳ７２０で、変数Ｍに初期値１を設定する。なおＭは、選択対象とするブランチのブランチ番号を示す変数である。
【００８１】
次にステップＳ７３０で、第Ｎ候補のチャンネルが現在選局中のチャンネルと一致するか否かを判定する。一致する場合、後述するステップＳ８３０へ移行する。一致しない場合、ステップＳ７４０で、視聴側のＣ／Ｎ、Ｂ階層ＢＥＲ、及びＡ階層ＢＥＲを取得する。
【００８２】
次にステップＳ７５０で、サーチ側のＣ／Ｎ順に、第Ｍ番目ブランチを選択する。そしてステップＳ７６０で、サーチ側を第Ｎ候補の物理チャンネルに選局する。
【００８３】
次にステップＳ７７０で、サーチ側のＣ／Ｎを取得する。そしてステップＳ７８０で、サーチ側で復調同期に成功したか否かにより処理の分岐を行う。
【００８４】
復調同期に成功していない場合、ステップＳ７７０へ移行する。復調同期に成功した場合、ステップＳ７９０で、サーチ側のＣ／Ｎが視聴側のＣ／Ｎを上回るか否かにより、処理の分岐を行う。なおこの比較において用いるサーチ側のＣ／Ｎは、候補順位リストに記録されているＣ／Ｎではなく、ステップＳ７７０で取得されたＣ／Ｎを用いる。
【００８５】
上回る場合、ステップＳ７９１で、視聴側のチャンネルを候補チャンネルへ選局させた後、後述するステップＳ８６０へ移行する。上回らない場合、ステップＳ８００で、Ｍを１だけインクリメントし、ステップＳ８１０で、Ｍの値が４を上回るか否かにより処理の分岐を行う。
【００８６】
上回らない場合、ステップＳ７５０へ移行する。上回る場合、ステップ８２０で、Ｍの値を１に設定し、ステップ８３０で、Ｎの値を１だけインクリメントする。
【００８７】
次にステップＳ８４０で、Ｎの値が３以下であるか否かにより、処理の分岐を行う。３以下ではない場合、後述するステップＳ８６０へ移行する。３以下である場合、ステップＳ８５０で、第Ｎ候補の候補チャンネルが候補順位リストにあるか否かにより、処理の分岐を行う。
【００８８】
ある場合、ステップＳ７３０へ移行する。ない場合、ステップＳ８６０で、サーチ側を定常時フローへ移行させるとともに、視聴側を定期監視フローへ移行させた後、本処理を終了する。
【００８９】
以上に説明した本処理（フェーズ２）の結果に基づき、視聴側の定期監視フローは、チャンネル変更するか否かを判定する（図５のステップＳ１５２、ステップＳ１７２）。これにより、フルセグの受信限界もしくはワンセグの受信限界に達して映像が乱れる前に、チャンネル変更を行って安定した映像を提供することができる。
【００９０】
なお、候補順位リストは視聴側のチャンネルが変更されるたびにリセットされる。また、視聴側のチャンネルが変更されるたびに、サーチ側の定常時フローも始めから開始される。これは、視聴側のチャンネルが変更された場合、中継／系列局チャンネルもそれに応じて変わるためである。
【００９１】
以上に説明した本実施形態によれば、サーチ側のブランチを変更しつつ、中継／系列局チャンネルの受信感度を測定する、巡回選局を行う。このため、受信感度のよい中継／系列局チャンネルの検出漏れを低減できる。
【００９２】
例えば従来は、裏サーチ用ＤＴＶチューナ２６が特定のブランチに固定接続されていた。このため例えば、フェーズ１において、接続されているブランチのＣ／Ｎが他のブランチより極端に低かった場合、その受信チャンネルの候補順位が必要以上に下がってしまい、場合によっては候補順位リストにあがらないことがあった。本発明では、上記のような状態を回避できる。
【００９３】
また従来は、フェーズ２において、接続されているブランチのＣ／Ｎが他のブランチより極端に低かった場合、実際にはサーチ側のチャンネルの方が視聴側のチャンネルより受信感度がよいにもかかわらずそのことを検出できず、視聴側のチャンネル変更が発生しない可能性があった。この結果、視聴側において受信限界での視聴が継続され、ブロックノイズの発生や映像の停止に至ることがあった。本発明では、上記のような状態を回避できる。
【００９４】
また、本実施形態によれば、フェーズ１の初回サーチ時はブランチを固定して全ての中継／系列局チャンネルを検索し、二回目以降は中継／系列局チャンネルを固定してブランチごとの受信感度を取得し、候補順位リストを更新する。このため、視聴側のチャンネル変更後ただちに、全ての中継／系列局チャンネルを把握し、トリガー第１／第２条件が発生しても対処可能とする。且つ、トリガー発生まで時間的余裕のある場合は、ブランチごとの受信感度の差異を吸収することができる。この結果、従来と比べ安定した映像を視聴者に提供することが可能となる。
【００９５】
また、本実施形態によれば、候補順位リストに、ブランチごとの受信感度の順位を示す情報を含めている。このため、フェーズ２において、視聴側とサーチ側とを比較する場合に、効率的に比較を行うことができる。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００９６】
従って本発明は、以下の形態にも適用可能である。
【００９７】
（Ａ）上記実施形態では、本発明の裏サーチ処理を実施するデジタル放送受信装置として、車載用受信装置１００を例に説明しているが、これ以外のデジタル放送受信装置において実施する形態でもよい。例えば、ポータブルテレビやテレビ付き携帯電話、デジタルラジオ等で実施する形態でもよい。
【符号の説明】
【００９８】
１００    車載用テレビ（デジタル放送受信装置）
１        アンテナ
２        ＤＴＶチューナ（第１チューナ）
３        合成復調部
４        オーディオフィルタ
５        オーディオデコーダ
６        ビデオフィルタ
７        ビデオデコーダ
８        データフィルタ
９        データデコーダ
１１      Ｄ／Ａコンバータ
１２      ＬＰＦ／ドライバ
１３      映像処理部
１４      Ｄ／Ａコンバータ
１５      ＬＰＦ／ドライバ
１６      映像出力部
１７      音声出力部
１９      操作入力部
２０      ＣＰＵ（制御部）
２１      ＲＡＭ
２２      ＲＯＭ
２４      裏サーチ用ＤＴＶチューナ（第２チューナ）
２５      アンテナ入力スイッチ（切替部）
２６      裏サーチ用復調部
【図１】
2013051506.tif 000003
【図２】
2013051506.tif 000004
【図３】
2013051506.tif 000005
【図４】
2013051506.tif 000006
【図５】
2013051506.tif 000007
【図６】
2013051506.tif 000008
【図７】
2013051506.tif 000009
【図８】
2013051506.tif 000010